(57)【要約】【課題】  打球時における衝撃力を吸収してティが折損したり飛び散ったりするのを防止し得ると共に風圧を受けてもボールを安定した状態で保持して正確なショットを可能にするゴルフティを提供する。【解決手段】  突き刺し軸部１の上端に可撓性弾性胴部２を介してボール載置部３を一体に設けてなり、このボール載置部３を、可撓性弾性胴部２の上端支持台部2aの外周面四方に立設した断面三角形状の弾性支持突片3aと、隣接する弾性支持突片3a間に立設した断面長方形状の補助弾性支持突片3bとからなり、且つ、弾性支持突片3aの一つの稜角部を支持台部2aの中心に向け、補助弾性支持突片3bの内側短辺の面を支持台部2aの中心側に向けた状態に立設して打球方向の断面二次モーメントを大きくし、これらの上端面でボールを沈ませたり揺動させることなく安定した状態で保持するように構成している。【選択図】    図１
2009136627.tif 000002
【特許請求の範囲】
【請求項１】
突き刺し軸部と、この突き刺し軸部の上端に下端を連結している可撓性弾性胴部と、この可撓性弾性胴部の上端に一体に設けているボール載置部とからなり、このボール載置部は、可撓性弾性胴部の上面外周部における同一円周上の四方にその一つの稜角部を可撓性弾性胴部の中心に向けた状態で直状に立設している一定高さを有する断面三角形状の弾性支持突片と、この弾性支持突片と同一長さを有すると共に断面長方形状に形成されていて、その短辺側の面を可撓性弾性胴部の中心側に向けた状態で隣接する断面三角形状の弾性支持突片間における同一円周上に直状に立設された１〜３本の補助弾性支持突片とからなり、これらの断面三角形状の弾性支持突片と断面長方形状の補助弾性支持突片との上端面をゴルフボールを支持する凹円弧状の支持曲面に形成していることを特徴とするゴルフティ。
【請求項２】
可撓性弾性胴部は、上端部をその上面外周部に断面三角形状の弾性支持突片と断面長方形状の補助弾性支持突片とを上方に向けて一体に突設させている支持台部に形成していると共に下端部を突き刺し軸部の上端部に冠着した断面門形状の連結基部に形成してあり、さらに、これらの支持台部の下面中心部と連結基部の上面中心部との間に上下に小間隔を存して支持台部と同一径の補強円板部を配して支持台部と上側補強円板部との対向面中心部間と、上下補強円板部の対向面中心部間と、下側補強円板部と上記連結基部との対向面中心部間とをそれぞれ小径の可撓性短軸部によって一体に連設していることを特徴とする請求項１に記載のゴルフティ。
【発明の詳細な説明】
【技術分野】
【０００１】
本発明は、ゴルフを行う際においてティショット時に使用するゴルフティに関するものである。
【背景技術】
【０００２】
ゴルフティとしては、突き刺し軸部の上端に、上端面をゴルフボール（以下、単にボールという）を支持する碗状に湾曲した載置面に形成しているボール載置部を一体に設けてなる木製又は硬質合成樹脂製のティが広く知られているが、このような構造のゴルフティでは、打球時にクラブヘッドから衝撃力を受けると変形したり折損したり、さらには、はじき飛ばされて再使用ができなくなる等の問題点がある。
【０００３】
そのため、例えば、特許文献１に記載されているように、突き刺し軸部とボール載置部とを別体に形成して突き刺し軸部の上端にボール載置部の下端を連結していると共に、このボール載置部を、可撓性を有する一定高さの複数本の弾性支持突片を同一円周上に周方向に等間隔毎に平面放射状となるように突設することによって形成してなり、これらの弾性支持突片の細い先端部によってボールを浮かした状態で支持するように構成してなるゴルフティや、特許文献２に記載されているように、突き刺し軸部である差込部の上端にコイルバネを介してボール支持台であるボール載置部を連結し、このボール載置部を上記特許文献１と同様に上部が下部よりも細く形成され、同一円周上で周方向に等間隔毎に且つ上端に向かうに従って径方向外方に傾斜した状態で立設した複数本の弾性支持突片によって形成してなる構造のゴルフティが開発されている。
【０００４】
【特許文献１】特開２００４−２５４９６１号公報
【特許文献２】特開２００５−２９６３３０号公報
【発明の開示】
【発明が解決しようとする課題】
【０００５】
上記いずれのゴルフティにおいても、ボールが同一円周上で周方向に等間隔毎に立設している複数本の弾性支持突片の上端部によって支持させるので、クラブヘッドによる打球時にはボールと弾性支持突片との摩擦抵抗が低減すると共に、クラブヘッドからの衝撃力を弾性支持突片の撓みによって吸収することができるから、ゴルフティが折損したり遠くに飛び散る虞れがなくなり、特に、後者のように突き刺し軸部とボール載置部とをコイルバネを介して連結している場合には、このコイルバネの弾性的な撓みによって一層、優れた衝撃力吸収機能を発揮することができるといった利点を有するが、弾性支持突片はその上端部を先細に形成して可撓性を具備させていると共に上端に向かうに従って径方向外方に傾斜させて、これらの弾性支持突片の上端部により上方に向かってラッパ状に拡開したボール載置部を形成しているので、ボールを載置した際にボールがこぼれ落ちたり、不安定な載置状態となるといった問題点が生じる。
【０００６】
詳しくは、このゴルフティの突き刺し軸部をやや傾斜した状態でティグランドの地面に突き刺した場合において、ラッパ状に拡開したボール載置部にボールを載せると、突き刺し軸部の傾斜方向に位置する弾性支持突片の上端部にボールの荷重が他の弾性支持突片よりも大きく作用してその上端部が一層外径方向に撓む込み、ボールがこれらの弾性支持突片の先端部によって形成されているボール載置部から容易に落下して、再び、ゴルフティの突き刺しによるティアップの準備作業を行う必要が生じることになるばかりでなく、ボールを載置した状態において風圧を受けると、ボールがその自重によって全ての弾性支持突片の先端部を径方向に拡縮させながら揺動してボールの載置状態が不安定となり、正確なショットができなくなるといった問題点があった。
【０００７】
本発明はこのように問題点に鑑みてなされたもので、その目的とするところは、打球時における衝撃力を素早く確実に吸収してゴルフティが折損したり遠くに飛び散る虞れをなくすることができるのは勿論、突き刺し軸部が多少、傾斜した状態で地面に突き刺されても、ボールを安定した載置状態に保持することができると共に、風圧を受けてもボールが振動したりボール載置部から落下したりすることなく正確なショットが行え、その上、構造が簡単にして安価に提供することができるゴルフティを提供するにある。
【課題を解決するための手段】
【０００８】
上記目的を達成するために、本発明のゴルフティは、請求項１に記載したように、突き刺し軸部と、この突き刺し軸部の上端に下端を連結している可撓性弾性胴部と、この可撓性弾性胴部の上端に一体に設けているボール載置部とからなり、このボール載置部は、可撓性弾性胴部の上面外周部における同一円周上の四方にその一つの稜角部を可撓性弾性胴部の中心に向けた状態で直状に立設している一定高さを有する断面三角形状の弾性支持突片と、この弾性支持突片と同一長さを有すると共に断面長方形状に形成されていてその短辺側の面を可撓性弾性胴部の中心側に向けた状態で隣接する断面三角形状の弾性支持突片間における同一円周上に直状に立設された１〜３本の補助弾性支持突片とからなり、これらの断面三角形状の弾性支持突片と断面長方形状の補助弾性支持突片との上端面をボールを支持する凹円弧状の支持曲面に形成した構造を有している。
【０００９】
このように構成したゴルフティにおいて、請求項２に係る発明は、上記可撓性弾性胴部の，好ましい構造であって、上端部をその上面外周部に断面三角形状の弾性支持突片と断面長方形状の補助弾性支持突片とを上方に向けて一体に突設させている支持台部に形成していると共に下端部を突き刺し軸部の上端部に冠着した断面門形状の連結基部に形成してあり、さらに、これらの支持台部の下面中心部と連結基部の上面中心部との間に上下に小間隔を存して支持台部と同一径の補強円板部を配して支持台部と上側補強円板部との対向面中心部間と、上下補強円板部の対向面中心部間と、下側補強円板部と上記連結基部との対向面中心部間とをそれぞれ小径の可撓性短軸部によって一体に連設してなる構造を有している。
【発明の効果】
【００１０】
突き刺し軸部の上端に可撓性弾性胴部を介してボール載置部を設けているので、このボール載置部上に載置したボールをクラブヘッドによって打球した時に、可撓性弾性胴部が打球方向に弾性的に撓んでクラブヘッドからの衝撃力を吸収することができ、従って、ゴルフティが折損したり飛び散ったりするのを防止することができるのは勿論、上記ボール載置部は、可撓性弾性胴部の上面外周部における同一円周上の四方にその一つの稜角部を可撓性弾性胴部の中心に向けた状態で直状に立設している一定高さを有する断面三角形状の弾性支持突片と、この弾性支持突片と同一長さを有すると共に断面長方形状に形成されていてその短辺側の面を可撓性弾性胴部の中心側に向けた状態で隣接する断面三角形状の弾性支持突片間における同一円周上に直状に立設された１〜３本の補助弾性支持突片とからなるので、可撓性弾性胴部の上面中心から拡径する方向に対するこれらの弾性支持突片と補助弾性支持突片との断面二次モーメントが大きくて、突き刺し軸部が多少、傾斜した状態でティグランドの地面に突き刺された状態であってもボールの載置時に拡径方向に撓むことはなく確実且つ安定した状態でボールを載置部上に容易に且つ正確に載置させることができる。
【００１１】
従って、ボール載置部上にボールを載置して打設を行う際に、風圧を受けてもボールが落下したり揺動したりする虞れもなく、安定した載置状態を保持することができて正確なショットが可能になると共に、ボール載置部を形成しているこれらの断面三角形状の弾性支持突片と断面長方形状の補助弾性支持突片との上端面を凹円弧状のボール支持曲面に形成しているので、正確な位置に一層安定した載置状態を維持することができるものであり、その上、ボールを支持した支持曲面の全体の面積も小さくすることができて打球時におけるボールとの摩擦抵抗を低減し、飛距離を大きくすることができる。
【００１２】
また、請求項２に係る発明によれば、可撓性弾性胴部は、上端部をその上面外周部に上記断面三角形状の弾性支持突片と断面長方形状の補助弾性支持突片とを上方に向けて一体に突設させている支持台部に形成していると共に下端部を突き刺し軸部の上端部に冠着した断面門形状の連結基部に形成しているので、この可撓性弾性胴部の連結基部を突き刺し軸部の上端部に被嵌させるように冠着することによって上端部に断面三角形状の弾性支持突片と断面長方形状の補助弾性支持突片とからなるボール載置部を有するゴルフティを簡単に構成することができ、ボール載置部を備えた弾性支持突片と突き刺し軸部とからなる構造が簡単なゴルフティを安価に提供することができる。
【００１３】
さらに、上面外周部に上記断面三角形状の弾性支持突片と断面長方形状の補助弾性支持突片とを上方に向けて一体に突設している支持台部の下面中心部と上記連結基部の上面中心部との間に上下に小間隔を存して支持台部と同一径の補強円板部を配して支持台部と上側補強円板部との対向面中心部間と、上下補強円板部の対向面中心部間と、下側補強円板部と上記連結基部との対向面中心部間とをそれぞれ小径の可撓性短軸部によって一体に連設しているので、クラブヘッドによる打球時に発生する衝撃力をこの可撓性弾性胴部におけるこれらの小径可撓性短軸部の撓みによって素早く確実に吸収することができるばかりでなく、小径の可撓性短軸部は突き刺し軸部の軸心上に設けられているので、打球方向に正確に撓んでボールとボール載置部との摩擦力を低減させながら正確なショットを行うことができる。
【発明を実施するための最良の形態】
【００１４】
次に、本発明の具体的な実施の形態を図面について説明すると、図１はゴルフティの簡略斜視図、図２はその正面図、図３は縦断正面図、図４は平面図であって、ゴルフティは突き刺し軸部１と、この突き刺し軸部の上端に下端部を連結、固着させている可撓性弾性胴部２と、この可撓性弾性胴部２の上端に一体に設けているボール載置部３とからなり、上記突き刺し軸部１は木製または硬質合成樹脂製であって、下端部を先細の突き刺し端部1aに形成している長さが40mm程度の軸部の上端に厚みが６mmで直径が12mm程度の頭部1bを一体に形成してなるものである。
【００１５】
一方、可撓性弾性胴部２はゴム又は合成樹脂等の弾性材料からなり、その上端部を上面に上記ボール載置部３を一体に設けている直径が16mm程度で一定厚みを有する円板形状の支持台部2aに形成していると共に、下端部を直径が上記支持台部2aと同径で一定厚みを有する円形状の上壁部2b1 の下面外周端に下方に向かって下端が開口した短筒形状の周壁部2b2 を一体に設けてなる断面門形状の連結基部2bに形成してあり、さらに、これらの支持台部2aの下面と連結基部2bの上面間に、直径が支持台部2aと同径で適宜厚みを有し、且つ、上下対向面の中心部間を長さが2.5mm 程度で直径が４mm程度の可撓性短軸部2cによって一体に連設している上下補強円板部2d、2dを直列状に介在させて、支持台部2aの下面中心部と上側補強円板部2dの上面中心部とを上記可撓性短軸部2cと同長、同径の可撓性短軸部2cによって一体に連結していると共に、下側補強円板部2dの下面中心部と連結基部2bの上面中心部とを同じく上記可撓性短軸部2cと同長、同径の可撓性短軸部2cによって一体に連結してなる構造を有している。
【００１６】
従って、可撓性弾性胴部２における支持台部2aと連結基部2bとの対向面中心部間を、上下補強円板部2d、2dを介して連結している上記複数本の可撓性短軸部2c、2c、2cは、突き刺し軸部１の軸心上に直列に配設されている。また、この可撓性弾性胴部２における断面門形状の連結基部2bを突き刺し軸部１の頭部1bに被嵌してその短筒形状の周壁部2b2 を頭部1bの外周面に圧着させ、上壁部2b1 の下面を頭部1bの上端面に圧着させることによって突き刺し軸部１の頭部に可撓性弾性胴部２の連結基部2bを一体に冠着させている。なお、図５は突き刺し軸部１と可撓性弾性胴部２との分解斜視図である。
【００１７】
可撓性弾性胴部２の支持台部2aの上面に一体に設けているボール載置部３は、支持台部2aの上面外周部における同一円周上の四方に高さが14mm程度の断面三角形状の弾性支持突片3aを周方向に等間隔を存して上方に向かって垂直状に立設していると共に、隣接する弾性支持突片3a、3a間に、高さがこの弾性支持突片3aに等しい高さを有する断面長方形状の補助弾性支持突片3b、3bを２本、断面三角形状の弾性支持突片3aと同じ円周上に一定の小間隔を存して上方に向かって突設してなるものである。なお、この補助弾性支持突片3bは、隣接する断面三角形状の弾性支持突片3a、3a間に１〜３本、立設しておけばよい。
【００１８】
さらに、上記断面三角形状の弾性支持突片3aは図４に示すように、その一つの稜角部を可撓性弾性胴部２の支持台部2aの中心に向けた状態で支持台部2aから立設していると共にこの内側に向けた稜角部と対向する外側の辺を支持台部2aの外周面と同じ湾曲面に形成して支持台部2aの外周面から垂直上方に連続させてあり、これらの内側稜角部と外側の辺との間の太さ寸法を４mm程度に形成していると共に、この外側の辺を底辺とする断面二等辺三角形に形成されている。
【００１９】
一方、隣接する弾性支持突片3a、3a間に立設している断面長方形状の補助弾性支持突片3bは、短辺の横幅を1.6mm 、長辺の横幅を上記断面三角形状の弾性支持突片3aと同じ４mm程度に形成されてあり、その内側の短辺の面を可撓性弾性胴部２の支持台部2aの中心側に向けた状態で可撓性弾性胴部２の支持台部2aの上面外周部から上方に向かって垂直に立設されていると共に外側の短辺を支持台部2aの外周面と同じ湾曲面に形成して支持台部2aの外周面から垂直上方に連続させている。
【００２０】
さらに、隣接する断面長方形状の補助弾性支持突片3b、3bの互いに平行に対向する長辺側の側面間の間隔と、断面三角形状の弾性支持突片3aとこの弾性支持突片3aに隣接する断面長方形状の補助弾性支持突片3bとの対向側面間の間隔とを補助弾性支持突片3bの短辺幅に等しい1.6mm 程度に形成している。そして、支持台部2aにおける径方向に対向する補助弾性支持突片3b、3bの長辺側の上記側面は互いに平行になるように設けられてあり、従って、断面三角形状の弾性支持突片3aの両側に立設している補助弾性支持突片3b、3bの長辺側の側面は、互いに直角となるように設けられている。
【００２１】
また、上記断面三角形状の弾性支持突片3aと断面長方形状の補助弾性支持突片3bとの上端面を、外側から内側に向かって下方に緩やかに凹円弧状に湾曲したボールＡの支持曲面４、５にそれぞれ形成していると共に、全ての補助弾性支持突片3bの内側短辺の面を支持台部2aと同心円上に面した湾曲面６に形成してあり、断面三角形状の弾性支持突片3aの内側先端稜角部はこの同心円上に位置している。
【００２２】
このように構成したので、使用に際して図６に示すように、その突き刺し軸部１の突き刺し端部1aをティグランドの地面に突き刺すと共にボール載置部３上にボールＡを載置した状態にすると、可撓性弾性胴部２の支持台部2aの上面外周部から上方に真っ直ぐに突出して、このボール載置部３を構成している複数本の断面三角形状の弾性支持突片3aと断面長方形状の補助弾性支持突片3bにおいて、弾性支持突片3aはその稜角部を可撓性弾性胴部２の支持台部2aの中心に向けた状態で立設されていると共に、補助弾性支持突片3bはその短辺側の面を可撓性弾性胴部の中心側に向けた状態で立設されているので、これらの弾性支持突片3aと補助弾性支持突片3bとにおける支持台部2aの中心側から拡径する方向に対す断面二次モーメントが大きくなって、これらの弾性支持突片3a、3bがボールＡの荷重によって外側（拡径方向）に撓むこともなく且つ、風圧を受けても揺動することなく直状姿勢を保持してボールＡを沈み込ませることなく、安定した状態で所定の位置に載置しておくことができる。
【００２３】
次いで、クラブヘッドによってボール載置部３上の上記ボールＡを打球すると、弾性支持突片3a及び補助弾性支持突片3bは打球時の衝撃によって打球方向に弾性的に撓むと共に可撓性弾性胴部２の可撓性短軸部2cが突き刺し軸部１の頭部1bを支点として打球方向に弾性的に撓んでクラブヘッドからの衝撃力を吸収し、衝撃力によって突き刺し軸部１が地面から抜け出るのを防止する。打球後は、可撓性弾性胴部２や弾性支持突片3a、3bは元の形態に復元する。なお、可撓性弾性胴部２として上下に隣接する可撓性短軸部2c、2c間に補強円板部2d、2dを設けているが、この補強円板部2d、2dは必ずしも設ける必要はなく、上記可撓性短軸部2cよりも長い一本の可撓性軸部によって形成しておいてもよい。
【図面の簡単な説明】
【００２４】
【図１】本発明ゴルフティの一実施の形態を示す斜視図。
【図２】その正面図。
【図３】縦断正面図。，
【図４】平面図。
【図５】分解斜視図。
【図６】使用状態を示す正面図。
【符号の説明】
【００２５】
１  突き刺し軸部
２  可撓性弾性胴部
2a  支持台部
2b  連結基部
2c  可撓性短軸部
３  ボール載置部
3a  断面三角形状の弾性支持突片
3b  断面長方形状の補助弾性支持突片
【図１】
2009136627.tif 000003
【図２】
2009136627.tif 000004
【図３】
2009136627.tif 000005
【図４】
2009136627.tif 000006
【図５】
2009136627.tif 000007
【図６】
2009136627.tif 000008